(57)【要約】【目的】スリット状の開口部から光透過性のディスクを出し入れするスロットインタイプのディスク装置において、ディスクの搬送中や搬出完了時にその外周部、中央透明部等を光らせて優れたイルミネーション効果の発現やディスクの視認性向上を図る。【構成】スリット状の開口部３から筺体１の内部に向かってディスクＤを搬入すると共に、開口部３から筺体１の外部に向かってディスクＤを搬出するディスク搬送機構１０を備えたスロットインタイプのディスク装置である。筺体１の内部には、ディスクＤの搬出方向後部側の端面ｆ１に臨んでディスクの搬入方向Ｌ１と搬出方向Ｌ２とに直進移動するスライダ１１に光源２２が設けられる。そして、光源２２より発せられた光がディスクの搬出方向後部側の端面ｆ１からディスクの内部を通ってその搬出方向前部側の端面ｆ２まで導光される。これにより、ディスクＤが発光する。【選択図】図１５
2006185573.tif 000002
【特許請求の範囲】
【請求項１】
スリット状の開口部から筺体内部に向かって光透過性のディスクを搬入すると共に、前記開口部から筺体外部に向かって前記ディスクを搬出するディスク搬送機構を備えたスロットインタイプのディスク装置において、前記ディスク搬送機構により搬入および搬出されるディスクの搬入方向側の端面に臨んでディスクの搬入方向と搬出方向とにディスクと共に直進移動する光源を備え、その光源から発せられた光がディスクの内部に入光して該ディスクが発光するよう構成したことを特徴とするディスク装置。
【請求項２】
前記光源から発せられた光を前記ディスクの搬入方向側の端面に導光する導光手段を備えたことを特徴とする請求項１記載のディスク装置。
【発明の詳細な説明】
【技術分野】
【０００１】
本発明は、ディスク（光透過性を有する光ディスクや光磁気ディスク）に映像や楽曲情報などを記録したり、その記録情報を再生するのに用いられるディスク装置に係わり、特に筺体に対するディスクの搬入時や搬出時にディスクが光って優れたイルミネーション効果が発現されるようにしたディスク装置に関する。
【背景技術】
【０００２】
従来、透明材料から成る光透過性の導光体を利用して導光することが一般に広く行われている。例えば、液晶パネルのバックライトとして、板状と成した導光体の一端面に発光ダイオードなどから成る光源を臨ませて液晶パネルを照らす面状光源とすることが良く知られる（例えば、特許文献１）。
【０００３】
ここに、ＣＤやＤＶＤといった光ディスクもピット列を有する基板が透明材料から形成されて光透過性を有しているが、その種のディスクに対して情報の記録や再生を行うディスク装置は、ディスクを回転させるターンテーブルと、ディスクのピット列にレーザ光を照射するピックアップとを具備し、そのピックアップにより情報の再生に必要なディスクからの反射光量が検出されるようになっている。
【０００４】
特に、上記のようなディスク装置において、筺体の前面にスリット状の開口部（スロット）を設けて該開口部からディスクを一枚ずつ出し入れするものと、筺体内部に設けられるディスク収納部とターンテーブルとの間でディスクの受け渡しを行うもの（オートチェンジャタイプ）とが知られる。
【０００５】
前者のディスク装置には、ディスクをトレイに載せて搬送するもの（トレイ搬送タイプ）と、トレイを用いずに開口部に直接挿入されたディスクを送りローラと板状部材との間に挟むなどして搬送するもの（スロットインタイプ）とがあるが、何れの装置も開口部から筺体内部にディスクを搬入したり、開口部から筺体外部にディスクを搬出するだけで、ディスクを光らせるような機能を持たせたものはなく、暗所において搬出されたディスクを視認できずにその取り出しに困難を来たすことがあった。
【０００６】
一方、後者のディスク装置（オートチェンジャタイプ）として、複数の仕切板から構成されるディスク収納手段、その各仕切板の間に配されたディスクの中から選択された一枚を取り出すディスク搬送手段、これにより取り出されたディスクの駆動を行うディスク駆動手段、並びにディスク収納手段内のディスクの外周端面に光を照射する発光手段を備えたものが知られる（例えば、特許文献２）。
【０００７】
【特許文献１】特開平１１−３０６８３１号公報（発明の実施の形態）
【０００８】
【特許文献２】特開２０００−２８５５７４号公報（特許請求の範囲）
【発明の開示】
【発明が解決しようとする課題】
【０００９】
然し、特許文献２に記載されるようなオートチェンジャタイプのディスク装置（担体自動再生装置）によれば、暗所においても簡単なスイッチ操作だけでディスクを交換できるという利点があるものの、内部の機構が複雑になったり装置の大型化を余儀なくされるなどの欠点がある。
【００１０】
特に、特許文献２には、ディスク収納手段に収納されたディスクの外周端面に発光手段から光を照射する旨記載されているが、その発光手段はイルミネーション効果を意図してディスクを光らせるというものでなく、ディスクからの反射光を受光する受光手段と対を成し、ディスク収納手段内におけるディスクの有無を検出するためのディスク有無検出器を構成しているにすぎない。
【００１１】
又、そのディスク有無検出器は、ディスク収納手段を構成する仕切板の配列方向に移動するものであるから、発光手段から発せられた光によりディスクが光ったとしても、これを外部から視認できないのでイルミネーション効果は発現されず、しかもディスク収納部から選択されたディスクが排出されたときには、その外周端面に発光手段の光が照射されないのでディスクを光らせることはできない。
【００１２】
本発明は以上のような事情に鑑みて成されたものであり、その目的はトレイを用いずにスリット状の開口部からディスクを出し入れするスロットインタイプのディスク装置にして、ディスクの搬送中や搬出完了時にその透明部、特に端面を光らせて優れたイルミネーション効果の発現と視認性向上を図ることにある。
【課題を解決するための手段】
【００１３】
本発明は上記目的を達成するため、スリット状の開口部３から筺体１内部に向かって光透過性のディスクＤを搬入すると共に、開口部３から筺体１外部に向かってディスクＤを搬出するディスク搬送機構１０を備えたスロットインタイプのディスク装置において、ディスク搬送機構１０により搬入および搬出されるディスクＤの搬入方向側の端面ｆ１に臨んでディスクＤの搬入方向と搬出方向とにディスクＤと共に直進移動する光源２２を備え、その光源２２から発せられた光がディスクＤの内部に入光して該ディスクＤが発光するよう構成したことを特徴とする。
【発明の効果】
【００１４】
本発明によれば、光透過性を有するディスクの搬入方向側の端面に臨む光源が設けられることから、光源から発せられる光をディスクに透過せしめてディスクの内外周面を鮮やかに光らせることができる。
【００１５】
特に、光源はディスクの搬入方向側の端面に臨んで、ディスクと共にその搬入方向と搬出方向とに直進移動することから、ディスクの移動を阻害せずしてディスクの搬送中にもその部位を一定の輝度で光らせることができ、筺体から露出された部分の発光により優れたイルミネーション効果が発現され、しかもディスクの搬出完了時においては暗所でもその位置が明確となるので、ディスクの視認性が向上してその取り出しを容易に行うことができる。
【発明を実施するための最良の形態】
【００１６】
以下、図面に基づいて本発明を詳しく説明する。図１は本発明に係るスロットインタイプのディスク装置を示した斜視外観図である。図１において、１は装置の外装を成す筺体であり、その前面は図示せぬ操作スイッチ類を配した操作面２とされ、その操作面２には光透過性を有するディスクＤ（光ディスクや光磁気ディスク）を出し入れするスリット状の開口部３（スロット）が形成される。尚、開口部３は塵埃の侵入を防止する図示せぬフラップ板により開閉自在とされる。又、図１において、ハッチングした部分（ディスクの外周端面ｆ２と内周面ｆ３）、及び中心孔周囲の透明部分ｆ４は、ディスクＤの主発光部分を表しているが、係る構成については後述する。
【００１７】
図２は筺体内部に設けられるドライブユニットを示す。このドライブユニット４は金属製のシャーシ５に多数の電子部品などを装置して構成されるもので、その上部にはクランプ盤６が昇降可能にして設けられる。又、シャーシ５の前端部５Ａは図１に示した開口部３に対応して開口され、これによりシャーシ５の内部にディスクＤを引き込み得るようになっている。
【００１８】
図３に示すように、シャーシ５の内部にはディスクＤを回転させるターンテーブル７と、ディスクＤのピット列を検出するためのピックアップ８が設けられる。そして、ターンテーブル７と図２に示したクランプ盤６とによりディスクＤが中心部をクランプされた状態で回転されると共に、ピックアップ８が回転中のディスクＤの盤面に沿ってその内周側から外周側（符号Ｅで示される位置）まで移動するようになっている。尚、図３では、両移動端でのピックアップ８をそれぞれ実線で示している。
【００１９】
又、ドライブユニット４は、図１に示した開口部３から筺体１の内部に向かってディスクを搬入（ローディング）すると共に、開口部３から筺体１の外部に向かってディスクを搬出（アンローディング）するディスク搬送機構１０を備える。係るディスク搬送機構１０は、筺体１の内部でディスクの搬入方向Ｌ１と搬出方向Ｌ２に直進移動するスライダ１１を有し、このスライダ１１にディスクＤが同行することにより、筺体１に対するディスクＤの搬入および搬出が行われる構成とされる。
【００２０】
尚、シャーシ５にはスライダ１１をディスクの搬入方向Ｌ１と搬出方向Ｌ２とに移動させるための搬送駆動部１２と、スライダ１１の移動案内をする左右一対のガイドレール１３が設けられる。そして、搬送駆動部１２の駆動力が送りネジ１４を通じてスライダ１１に伝達され、これによりスライダ１１がガイドレール１３に沿ってディスクの搬入方向Ｌ１と搬出方向Ｌ２とに直進移動するようになっている。
【００２１】
ここで、図３はスライダ１１がディスクの搬出方向Ｌ２に移動した状態であり、このときにはディスクＤが搬出方向前部側を筺体の開口部３から外部に露出させた状態で他端側（搬出方向後部側）をスライダ１１により抜き取り可能に支持されると共に、そのディスクＤを抜き取った後これとは別のディスクを筺体内部に搬入可能とされる。
【００２２】
又、図４はスライダ１１がディスクの搬入方向Ｌ１に移動した状態であり、このときディスクＤはその中心部がターンテーブル７により支持される。
【００２３】
次に、図５はスライダの底面側を示した斜視図である。この図で明らかなように、スライダ１１の底面には二つ一組で天面が傾斜してＶ字状を成す二組のリブ１５Ａ，１５Ａ及び１５Ｂ，１５Ｂが形成され、二組のリブ１５Ａ，１５Ａとリブ１５Ｂ，１５Ｂとの間にはゴムなどから形成されるテーパ状の圧接ローラ１６が設けられる。圧接ローラ１６は回転軸１７に固定され、その回転軸１７は支軸１８を回転支点部とするグリップアーム１９に支持される。グリップアーム１９には圧接ローラ１６に近接するテーパ状の爪１９Ａが形成され、係るグリップアーム１９は支軸１８の外周に設けられるバネ２０により圧接ローラ１６の支持側がリブ１５Ａ，１５Ｂに向かって付勢される。
【００２４】
そして、圧接ローラ１６とリブ１５Ａ，１５Ｂは、図６及び図７のようにディスクＤの搬出方向後部側（搬入方向側）でその外周縁部を摘む２つの挟持部２１を構成する。これにより、ディスクＤは図９のように搬出方向後部側を上記した２つの挟持部２１で摘まれた状態で搬送される。
【００２５】
ここで、外周縁部とは、ディスク外周の角部、または、角部とその近傍部である。具体的な例として、リブ１５Ａ，１５Ｂを樹脂材で形成すれば、これが比較的硬いことからこのリブとはディスクの角の稜線が当接する線接触となり、圧接ローラ１６とは、これがゴム等の柔軟性を有する材料で形成されれば、ディスクの角の稜線及びその近傍の面（表面及び端面）を含んだ面接触となる。又、圧接ローラ１６を高硬度材料で形成した場合は、両方ともディスクの角部での線接触となる。いずれにおいても、ディスクの信号記録面に接触するものではない。
【００２６】
一方、圧接ローラ１６がディスクに接触する位置は、２つのリブ１５Ａ，１５Ｂの間であると、それぞれが対向せずしてディスクがリブ側の２点とローラ側の１点支持となり、安定した支持が可能である。特に、圧接ローラ１６を、２つのリブ１５Ａ，１５Ｂ間の中央に位置させることが力のバランスがとれて好ましい。
【００２７】
上述した挟持手段の理解を助けるための図が図８である。この図は、一方のリブと圧接ローラとを便宜的に対向する位置にした例を示している。この図からもリブ１５Ａ，１５Ｂと圧接ローラ１６が鋭角状の夾角θを形成することにより、それらがディスクＤの外周縁部（角部または角部とその近傍部）に接触していることが理解される。
【００２８】
尚、搬送（搬入及び搬出）時のディスクはその両側縁を図示せぬガイド溝により支持されるが、ディスクの搬入時においてその中心部がターンテーブル上に案内される直前には上記ガイド溝による支持がなくなる。このため、ディスクはターンテーブルに向かって移動できるようになる。先ず、ディスクの搬入時においては、前述のように図９、図１０の如く、スライダ１１とディスクＤが一体となってＬ１方向に前述の搬送駆動部によって移動していく。そして、中心孔ｈがターンテーブル７上に到達すると、クランプ盤６が降下してディスクを押す。その結果、図１０の如く、ディスクＤが傾いて中心孔ｈがターンテーブル７に嵌まり込んでいく。一方、スライダ１１はさらにＬ１方向に進んで行くが、このときディスクＤはターンテーブル７に引っ掛かっているので、結果としてスライダ１１の挟持部２１からディスクＤの外周縁部が抜け、当該ディスクＤがターンテーブル７で中心部を支持され、その状態でクランプ盤６が降下してディスクＤの中心部をクランプするようになる。
【００２９】
一方、ディスクの搬出時には、クランプ盤６が上昇されつつスライダ１１が開口部３側（矢印Ｌ２方向）へ移動し、しかしてスライダ１１に設けたグリップアームの爪１９Ａが図１１及び図１２に示すようディスクＤの搬出方向後部側（搬入方向側）を迫り上げる。これにより、ディスクＤの搬出方向後部側でその外周縁部が挟持部２１により摘まれ、その状態でディスクＤの搬出が行われる。
【００３０】
又、図５に示すように、スライダ１１には左右一対の光源２２が設けられる。本例において、光源２２は発光ダイオード（ＬＥＤ）、それも赤、緑、青の光の合成により様々な光色を発生することのできるマルチカラーＬＥＤとされるが、これを赤と緑の二色ＬＤＥや単色ＬＥＤなどとしてもよい。
【００３１】
特に、係る光源２２は、図１３〜図１５のように外周縁部が挟持部２１により挟持されたディスクＤの搬出方向後部側（搬入方向側）の端面ｆ１に臨むようになっており、このためディスクＤの搬出入に際して光源２２もディスクＤの搬出方向後部側（搬入方向側）の端面ｆ１に臨んでディスクＤと共に同方向に直進移動する。つまり、本例ではディスクの搬送を行うスライダ１１が光源２２の移動手段として併用される。
【００３２】
しかして、光源２２から発せられた光は、図１５のようにディスクＤの搬入方向側の端面ｆ１からディスクＤの内部に入射し（図１４の矢印方向）、ディスクＤの内周縁と外周縁との間で反射を繰り返すなどしてディスクの搬出方向前部側の端面ｆ２まで導光される。このため、遮光性の保護膜により覆われないディスクの透明部分、特にこの外周端面ｆ２と、搬入方向側の内周面ｆ３、並びに中心孔周囲の透明部分ｆ４（図１も参照）は、移動中にも拘らず高輝度で発光し、搬出完了時においては開口部３から露出されるディスクＤの発光により視認性が向上して暗所においてもその位置が明確となり、優れたイルミネーション効果も発現される。
【００３３】
尚、マルチカラーＬＥＤから成る光源２２にして、光色変換制御を行うことにより、ディスクの発光色を周期的に変化させてイルミネーション効果を一層向上させることができる。
【００３４】
又、光源２２はディスクの中心孔ｈの直径より稍大きな間隔で２つを隣り合わせに配することが好ましく、これにより光源２２から発せられた光を図１５に示した矢印のようにディスクの搬出方向後部側から搬出方向前部側へ良好に導光することが可能とされるが、係る光源２２は一つでも２つ以上でもよく、更にはＬＥＤのような点光源に代えて蛍光管などを用いることもできる。
【００３５】
更に、図１６のように、スライダ１１に、光源２２とディスクＤとの間に介在する導光手段（導光部材２３）を設ける構成としてもよい。特に、図１６に示す如くディスクＤの搬入方向側の端面ｆ１に沿って導光部材２３の前面を円弧状の曲面とし、更にその導光部材２３を図１７に示す如くディスクＤに向かって先細りの形態とすることが好ましい。これによれば、光源２２から発せられた光を、ディスクの端面ｆ１からその内部に無駄なく良好に導いてディスクＤをより良く発光させることができる。
【００３６】
以上、本発明について説明したが、本発明は係るディスク装置としてＣＤプレーヤ、ＤＶＤレコーダ、またはカーナビゲーション用のＤＶＤプレーヤなどに適用することができる。又、係るディスク装置は車載用に好適であるが、車載用以外の室内据置型やポータブル型のディスク装置にも好適に用いることができる。
【００３７】
又、上記例ではディスクを搬送するスライダ１１に光源２２を設けたが、送りローラなどによるディスクの搬送動作に連動して、その搬入方向と搬出方向に移動する専用の台車に光源を設け、その光源をディスクの搬入方向側の端面に臨ませるようにしてもよい。
【図面の簡単な説明】
【００３８】
【図１】本発明に係るディスク装置の斜視外観図
【図２】同装置の筺体内部に設けられるドライブユニットを示す斜視図
【図３】ドライブユニットの内部を示す斜視図
【図４】ディスクが定位置まで搬入された状態を示す斜視図
【図５】ディスク搬送機構を構成するスライダの底面側を示す斜視図
【図６】ディスクの外周縁部がスライダの部位で挟持された状態を示す平面概略図
【図７】ディスクの外周縁部がスライダの部位で挟持された状態を示す正面概略図
【図８】図７の状態を便宜的に示した説明図
【図９】ディスクの外周縁部がスライダの部位で挟持された状態を示す斜視図
【図１０】ディスクの搬入状態を示す説明図
【図１１】ディスクの外周縁部がスライダの部位で挟持される状態を示す部分拡大図
【図１２】ディスクの外周縁部がスライダの部位で挟持される状態を示す斜視図
【図１３】光源がディスクの端面に臨んだ状態を示す斜視図
【図１４】光源がディスクの端面に臨んだ状態を部分的に拡大して示した説明図
【図１５】ディスク内における光の進行状態を示す説明図
【図１６】本発明に係るディスク装置の他の実施態様を示す説明図
【図１７】図１６の要部を拡大して示した側面概略図
【符号の説明】
【００３９】
１  筺体
３  開口部
７  ターンテーブル
８  ピックアップ
１０  ディスク搬送機構
１１  スライダ
２１  挟持部
２２  光源
ｆ１  ディスクの搬出方向後部側の端面
ｆ２  ディスクの搬出方向前部側の端面
【図１】
2006185573.tif 000003
【図２】
2006185573.tif 000004
【図３】
2006185573.tif 000005
【図４】
2006185573.tif 000006
【図５】
2006185573.tif 000007
【図６】
2006185573.tif 000008
【図７】
2006185573.tif 000009
【図８】
2006185573.tif 000010
【図９】
2006185573.tif 000011
【図１０】
2006185573.tif 000012
【図１１】
2006185573.tif 000013
【図１２】
2006185573.tif 000014
【図１３】
2006185573.tif 000015
【図１４】
2006185573.tif 000016
【図１５】
2006185573.tif 000017
【図１６】
2006185573.tif 000018
【図１７】
2006185573.tif 000019